(57)【要約】【課題】画質に優れる記録物が得られ、且つ生産性にも優れるインクジェット記録装置を用いた記録方法を提供すること。【解決手段】本発明は、走行する被記録物１にラインヘッド４で記録するインクジェット記録装置１０を用いた記録方法であって、複数の異なるデザイン部位を有する画像データのデザイン部位毎に解像度を設定する第１ステップＳ１と、各解像度に対応するように被記録物１の走行速度を設定する第２ステップＳ２と、異なる走行速度同士を繋ぐために被記録物１の加減速を設定する第３ステップＳ３と、を備え、ラインヘッド４での連続記録中に、被記録物１の走行速度が変更されるインクジェット記録装置１０の記録方法である。【選択図】図２
2014004787.tif 000002
【特許請求の範囲】
【請求項１】
走行する被記録物にラインヘッドで記録するインクジェット記録装置を用いた記録方法であって、
複数の異なるデザイン部位を有する画像データのデザイン部位毎に解像度を設定する第１ステップと、
各解像度に対応するように前記被記録物の走行速度を設定する第２ステップと、
異なる前記走行速度同士を繋ぐために被記録物の加減速を設定する第３ステップと、
を備え、
前記ラインヘッドでの連続記録中に、前記被記録物の走行速度が変更されるインクジェット記録装置を用いた記録方法。
【請求項２】
前記被記録物の走行速度が多段階で変更され、
前記解像度が高い場合、被記録物の走行速度を遅く設定し、
前記解像度が低い場合、被記録物の走行速度を速く設定する請求項１記載のインクジェット記録装置を用いた記録方法。
【請求項３】
前記被記録物の減速時には、減速する直前の前記被記録物の解像度で記録し、
前記被記録物の加速時には、加速した直後の前記被記録物の解像度で記録する請求項２記載のインクジェット記録装置を用いた記録方法。
【発明の詳細な説明】
【技術分野】
【０００１】
本発明は、インクジェット記録装置を用いた記録方法に関し、更に詳しくは、画質に優れる記録物が得られ、且つ生産性にも優れるインクジェット記録装置を用いた記録方法に関する。
【背景技術】
【０００２】
一般に、インクジェット記録方式においては、解像度によって、画像の表現力が変わる。
ここで、解像度とは、１インチ間のドットの数を意味する。したがって、高解像度になるほど、ドットの密度が高くなり、繊細な画像表現が可能となる。一方、低解像度になるほど、ドットの密度が低くなり、粗い画像表現となる。
【０００３】
ところで、インクジェット記録方式においては、一定のタイミング（周波数）で記録する場合、高解像度で画像を記録すると、インクの粒（ドット）間の距離が狭くなるので、ドット同士が混ざらないようにして、被記録物の走行速度を低速にする必要がある。
一方、低解像度で画像を記録すると、ドット間の距離が広くなるので、被記録物の走行速度を高速にすることができる。
【０００４】
近年、インクジェット記録方式においては、高解像度の記録物が求められている。そのため、高解像度で記録可能なインクジェット記録装置に注力されている。
ところが、高解像度のインクジェット記録装置においては、低解像度で記録できる画像データであっても、高解像度で記録することになるため、被記録物の走行速度が低速となり、その結果、生産性が低下するという欠点がある。
【０００５】
それに対し、高速で低解像度の印刷モードと、低速で高解像度の印刷モードとを実現したインクジェット記録装置が知られている（例えば、特許文献１参照）。かかるインクジェット記録装置によれば、画像データ毎に、低解像度又は高解像度を選択してインクジェット記録を行うことができる。
【先行技術文献】
【特許文献】
【０００６】
【特許文献１】特開２００７−１８５８７７号公報
【発明の概要】
【発明が解決しようとする課題】
【０００７】
しかしながら、上記特許文献１記載のインクジェット記録装置においては、１つの画像データ中に低解像度で対応可能な画像の部分と、高解像度が必要な画像の部分とが共存する場合であっても、統一された解像度でしか記録することができない。すなわち、インクジェット記録をしている最中に異なる解像度で記録することはできない。
仮に、上記特許文献１記載のインクジェット記録装置を用いた場合、画像データを低解像度で記録すると、高解像度が必要な画像の部分は、ぼやけたり、シャープさに欠けた画像となってしまい、高解像度で記録すると、生産性が低下することになる。
【０００８】
本発明は上記事情に鑑みてなされたものであり、画質に優れる記録物が得られ、且つ生産性にも優れるインクジェット記録装置を用いた記録方法を提供することを目的とする。
【課題を解決するための手段】
【０００９】
本発明者らは、上記課題を解決するため鋭意検討したところ、画像データ中の複数のデザイン部位に対し、個々に適した解像度で記録することを考えた。そして、連続記録中に各解像度に対応するように被記録物の走行速度を変更することで、上記課題を解決し得ることを見出し、本発明を完成するに至った。
【００１０】
本発明は、（１）走行する被記録物にラインヘッドで記録するインクジェット記録装置を用いた記録方法であって、複数の異なるデザイン部位を有する画像データのデザイン部位毎に解像度を設定する第１ステップと、各解像度に対応するように被記録物の走行速度を設定する第２ステップと、異なる走行速度同士を繋ぐために被記録物の加減速を設定する第３ステップと、を備え、ラインヘッドでの連続記録中に、被記録物の走行速度が変更されるインクジェット記録装置を用いた記録方法に存する。
【００１１】
本発明は、（２）被記録物の走行速度が多段階で変更され、解像度が高い場合、被記録物の走行速度を遅く設定し、解像度が低い場合、被記録物の走行速度を速く設定する上記（１）記載のインクジェット記録装置を用いた記録方法に存する。
【００１２】
本発明は、（３）被記録物の減速時には、減速する直前の被記録物の解像度で記録し、被記録物の加速時には、加速した直後の被記録物の解像度で記録する上記（２）記載のインクジェット記録装置を用いた記録方法に存する。
【発明の効果】
【００１３】
本発明のインクジェット記録装置を用いた記録方法においては、デザイン部位毎に対応した解像度が設定される。これにより、画質に優れる記録物が得られ、ぼやけたり、シャープさに欠けた画像となることを抑制できる。
また、設定した解像度に対応するように被記録物の走行速度を連続記録中に変更することができるので、効率良くインクジェット記録を行うことができる。例えば、画像データ中の低解像度で対応可能な画像の部分を、被記録物の走行速度を高速にして記録することにより、生産性を向上させることができる。
【００１４】
本発明のインクジェット記録装置を用いた記録方法においては、被記録物の走行速度が多段階で変更可能となっている場合、デザイン部位に対し、より適した解像度を設定でき、且つその解像度で記録することが可能となる。
【００１５】
本発明のインクジェット記録装置を用いた記録方法において、被記録物の減速時には、減速する直前の被記録物の解像度で記録し、被記録物の加速時には、加速した直後の被記録物の解像度で記録すると、連続して記録することが可能となり、且つ被記録物の加減速時であっても、画質に優れる記録物が得られ、ぼやけたり、シャープさに欠けたりすることを抑制できる。
【図面の簡単な説明】
【００１６】
【図１】図１は、本実施形態に係るインクジェット記録装置を用いた記録方法が用いられるインクジェット記録装置を示す概略図である。
【図２】図２は、本実施形態に係るインクジェット記録装置を用いた記録方法を示すフローチャートである。
【図３】図３は、本実施形態に係るインクジェット記録装置を用いた記録方法を実行するための制御方法を示すブロック図である。
【図４】図４は、実施例において、インクジェット記録を行った際の被記録物の走行速度と、解像度との関係を示すグラフである。
【発明を実施するための形態】
【００１７】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００１８】
本実施形態に係るインクジェット記録装置を用いた記録方法は、走行する被記録物にラインヘッドで記録するインクジェット記録装置に用いられる。
図１は、本実施形態に係るインクジェット記録装置を用いた記録方法が用いられるインクジェット記録装置を示す概略図である。
図１に示すように、インクジェット記録装置１０は、走行する被記録物１を案内する案内ローラ２と、被記録物１に記録する複数のラインヘッド４と、該ラインヘッド４により記録された被記録物１を乾燥するための乾燥機３と、を備える。
【００１９】
インクジェット記録装置１０において、被記録物１としては、特に限定されないが、例えば、紙、フィルム、布帛等が適宜用いられる。
また、インクジェット記録装置１０は、通常、ラインヘッド４を４個備えているので、４色を用いた記録が可能となっている。例えば、Ｙ、Ｍ、Ｃ、Ｋを用いることにより、フルカラーでの記録が可能である。
さらに、乾燥機３は、円柱状のドライヤーを有し、該ドライヤー表面にインクジェット記録された被記録物１を密着させることにより、被記録物１が乾燥するようになっている。
【００２０】
次に、上記インクジェット記録装置１０を用いた記録方法について説明する。
図２は、本実施形態に係るインクジェット記録装置を用いた記録方法を示すフローチャートである。
図２に示すように、本実施形態に係るインクジェット記録装置１０を用いた記録方法は、複数の異なるデザイン部位を有する画像データのデザイン部位毎に解像度を設定する第１ステップＳ１と、各解像度に対応するように被記録物１の走行速度を設定する第２ステップＳ２と、異なる走行速度同士を繋ぐために被記録物の加減速を設定する第３ステップと、を備える。
【００２１】
インクジェット記録装置１０を用いた記録方法においては、第１ステップＳ１、第２ステップＳ２及び第３ステップＳ３を備えることにより、ラインヘッド４での連続記録中に、被記録物１の走行速度の変更が可能となっている。
【００２２】
ここで、解像度は、一般に、被記録物１の走行速度、及び、ラインヘッド４がインクを吐出するタイミングによって変わる。例えば、被記録物１の走行速度を遅くすることにより高解像度となり、速くすることにより低解像度となる。また、ラインヘッド４がインクを吐出するタイミングを速くすることにより高解像度となり、遅くすることにより低解像度となる。
上記インクジェット記録装置１０を用いた記録方法においては、設定された解像度に対応するように、被記録物１の走行速度、及び、ラインヘッド４がインクを吐出するタイミングが調整される。
また、被記録物１の走行速度は、被記録物１が案内される案内ローラ２の回転速度の制御により変更することが可能となっている。なお、これらの制御については、後述する。
【００２３】
以下、各ステップについて更に詳細に説明する。
（第１ステップ）
第１ステップＳ１は、画像データのデザイン部位毎に解像度を設定するステップである。
ここで、本明細書において、画像データとは、複数の異なるデザイン部位からなる１つのデータを意味する。
また、デザイン部位とは、文字、模様、色彩等のデザインの単位（ページ）であり、解像度が同じになる部分を意味する。なお、デザイン部位とは、連続して解像度が同じ部分を意味するので、デザイン自体は変わっていてもよい。また、画像データが作成された時点で解像度は決定される。
上記画像データは、一般にインクジェット記録で用いられるものを用いることができる。また、異なる解像度のデザインのデータを繋げて本明細書における画像データとしてもよい。
【００２４】
第１ステップＳ１においては、多段階の解像度が設定される。この場合、デザイン部位に対し、デザインの解像度通りの解像度で記録することが可能となる。
【００２５】
本実施形態に係るインクジェット記録装置１０を用いた記録方法においては、例えば、解像度を低解像度、中解像度及び高解像度の３段階に設定する。
そして、適当な画質となるような解像度に、各デザイン部位それぞれに設定する。例えば、単色で表現された文字やベタ柄等は、高度な画像表現（画質又は品質）が必要とはされないので、低解像度に設定し、緻密な景色画等は、高度な画像表現（画質又は品質）が必要とされるので、高解像度に設定し、両者の中間の場合は、中解像度に設定する。
【００２６】
（第２ステップ）
第２ステップＳ２は、第１ステップＳ１で設定された各解像度に対応するように被記録物１の走行速度を設定するステップである。
【００２７】
第２ステップＳ２においては、多段階の被記録物１の走行速度が設定される。この場合、多段階の被記録物１の走行速度に変更することが可能となるので、より効率良くインクジェット記録を行うことができ、生産性を向上させることができる。
【００２８】
本実施形態に係るインクジェット記録装置１０を用いた記録方法においては、例えば、被記録物１の走行速度を高速、中速及び低速の３段階に設定する。
そして、被記録物１の走行速度が、第１ステップＳ１にて設定された解像度のデザイン部位にそれぞれ割り当てられる。
このとき、解像度が高い場合、被記録物の走行速度を遅く設定し、解像度が低い場合、被記録物の走行速度を速く設定すればよい。具体的には、解像度が低解像度の場合、被記録物１の走行速度を高速とし、解像度が中解像度の場合、被記録物１の走行速度を中速とし、解像度が高解像度の場合、被記録物１の走行速度を低速とする。
【００２９】
（第３ステップ）
第３ステップＳ３は、異なる走行速度同士を繋ぐために被記録物１の加減速を設定するステップである。すなわち、第３ステップＳ３は、変更前の被記録物１の走行速度から、被記録物１を加速又は減速させ、変更後の被記録物１の走行速度にする過程における被記録物１の加減速のタイミングを設定するステップである。
【００３０】
第３ステップＳ３においては、被記録物１の減速時には、減速する直前の被記録物の解像度で記録する。すなわち、被記録物は、減速する直前である被記録物の走行速度が速い状態の低解像度に設定されたデザイン部位にて減速されることになる。これにより、減速時であっても、設定されたデザイン部位の解像度通りに記録することが可能となる。
したがって、この場合、低解像度に設定されたデザイン部位においては、被記録物の走行速度を高速にした記録と、被記録物の走行速度を減速にした記録とが連続して行われることになる。
【００３１】
一方、被記録物１の加速時には、加速した直後の被記録物の解像度で記録する。すなわち、被記録物は、加速した直後である被記録物の走行速度が速い状態の低解像度に設定されたデザイン部位にて加速されることになる。これにより、加速時であっても、設定されたデザイン部位の解像度通りに記録することが可能となる。
したがって、この場合、低解像度に設定されたデザイン部位においては、被記録物の走行速度を加速にした記録と、被記録物の走行速度を高速にした記録とが連続して行われることになる。
【００３２】
これらのことから、被記録物１の加減速は、その前後の記録において低いほうの解像度に設定されたデザイン部位で行われる。なお、かかる解像度は、第１ステップＳ１において設定された解像度である。
【００３３】
被記録物１の減速時において、被記録物１の減速開始のタイミングは、インクジェット記録装置１０の被記録物を加減速させる能力に合わせて任意に設定することができ、被記録物１の減速終了のタイミングは高解像度のデザイン部位の記録が始まるタイミングに合わせる。
例えば、被記録物１の走行速度を高速とし、低解像度で記録している状態から、被記録物１の走行速度を低速とし、高解像度で記録する状態にする場合、低解像度で記録している状態から任意のタイミングで被記録物１の走行速度を減速させる。
このとき、被記録物１の走行速度を単に減速させると、解像度が徐々に高くなることから、被記録物１の走行速度を減速させると共に、ラインヘッド４がインクを吐出するタイミングを遅くすることにより、低解像度を維持させる。
そして、高解像度のデザイン部位の記録が始まるタイミングで被記録物１の走行速度を目的の低速とし、ラインヘッド４がインクを吐出するタイミングを調整して高解像度で記録する。
【００３４】
一方、被記録物１の加速時において、被記録物１の加速開始のタイミングは高解像度のデザイン部位の記録が終わるタイミングに合わせ、被記録物１の加速終了のタイミングは、インクジェット記録装置１０の被記録物を加減速させる能力に合わせて任意に設定することができる。
例えば、被記録物１の走行速度を低速とし、高解像度で記録している状態から、被記録物１の走行速度を高速とし、低解像度で記録する状態にする場合、高解像度のデザイン部位の記録が終わるタイミングでラインヘッド４がインクを吐出するタイミングを調整して低解像度で記録すると共に、被記録物１の走行速度を加速させる。
このとき、被記録物１の走行速度を単に加速させると、解像度が徐々に低くなることから、被記録物１の走行速度を加速させると共に、ラインヘッド４がインクを吐出するタイミングを速くすることにより、低解像度を維持させる。
そして、任意のタイミングで被記録物１の走行速度を目的の高速とし、ラインヘッド４がインクを吐出するタイミングを調整して低解像度で記録する。
【００３５】
このように、本実施形態に係るインクジェット記録装置１０を用いた記録方法においては、被記録物１の加減速時においても解像度が維持されるように、ラインヘッド４がインクを吐出するタイミングを、目的の解像度に合わせて調整可能となっている。
これにより、被記録物の加減速時であっても、画質に優れる記録物が得られ、ぼやけたり、シャープさに欠けたりすることを抑制できる。
【００３６】
第３ステップＳ３において、被記録物１の加減速時における加速度及び減速度は、任意に設定された被記録物１の加減速のタイミングにより決定される。すなわち、加減速時の時間が長いほど、加速度及び減速度は小さくなり、加減速時の時間が短いほど、加速度及び減速度は大きくなる。
このとき、被記録物１の加減速時における加速度は、被記録物１の張力の安定性の観点から、０．１〜０．５ｍ／ｓ２であることが好ましく、被記録物１の加減速時における減速度は、被記録物１の張力の安定性の観点から、−０．５〜−０．１ｍ／ｓ２であることが好ましい。
【００３７】
本実施形態に係るインクジェット記録装置１０を用いた記録方法においては、所定の画像データに対して、上述した第１ステップＳ１、第２ステップＳ２及び第３ステップＳ３を施すことにより、画質に優れる記録物が得られ、且つ生産性にも優れる。
換言すると、低解像度で記録可能なデザイン部位については、被記録物１を高速で走行させ、高解像度で記録可能なデザイン部位については、被記録物１を低速で走行させることができるので、効率良くインクジェット記録を行うことができ、生産性が向上する。
また、デザイン部位毎に適した解像度で記録できるので、画質に優れる記録物が得られ、ぼやけたり、シャープさに欠けた画像となることを抑制できる。
【００３８】
次に、本実施形態に係るインクジェット記録装置１０を用いた記録方法を実行するための制御方法について説明する。
該制御方法により、本実施形態に係るインクジェット記録装置１０を用いた記録方法に基づいて、インクジェット記録装置１０にて、被記録物１が連続して記録される。
【００３９】
図３は、本実施形態に係るインクジェット記録装置を用いた記録方法を実行するための制御方法を示すブロック図である。
図３に示すように、本実施形態に係るインクジェット記録装置１０を用いた記録方法を実行するための制御方法においては、画像データ１１を受信する記録制御基板１２と、インクジェット記録の開始及び停止の駆動信号Ａを記録制御基板に送信し、被記録物１を搬送する搬送信号Ｂを搬送案内ローラ２ａに送信する搬送制御基板１３と、を備える。
【００４０】
まず、画像データ１１がデザイン部位に分割され、該デザイン部位に基づいて、解像度が設定される（第１ステップＳ１）。
そして、記録制御基板１２は、画像データに対する解像度の解像度信号Ｅを搬送制御基板１３に送信し、搬送制御基板１３は、受信した解像度信号Ｅに基づいて、被記録物１の走行速度が設定され（第２ステップＳ２）、更に該走行速度に基づいて、被記録物１の加減速が設定される（第３ステップＳ３）。
【００４１】
搬送制御基板１３は、設定した被記録物の走行速度及び加減速に基づく搬送信号Ｂを搬送案内ローラ２ａに送信する。
搬送信号Ｂを受信した搬送案内ローラ２ａは、搬送信号Ｂに基づいて、被記録物１を搬送する。
【００４２】
一方で、検出案内ローラ２ｂは、被記録物１の走行速度、移動量を検出し、その検出信号Ｃを記録制御基板１２に送信する。
検出信号Ｃを受信した記録制御基板１２は、検出信号Ｃの被記録物１の走行速度・移動量にあわせた吐出となるように、ラインヘッド４に吐出信号Ｄを送信し、ラインヘッド４に所定のタイミングでインクを吐出させる。
【００４３】
なお、インクジェット記録の開始及び停止の駆動信号Ａは、搬送制御基板１３から記録制御基板１２に送信される。これに基づいて、インクジェット記録が開始又は停止される。
【００４４】
このような制御が自動で行われることにより、連続記録中であっても、被記録物１の走行速度の変更が可能となる。
【００４５】
以上、本発明の実施形態について説明したが、本発明は上記実施形態に限定されるものではない。
【００４６】
例えば、本実施形態に係るインクジェット記録装置１０を用いた記録方法は、走行する被記録物にラインヘッドで記録するラインヘッド方式のインクジェット記録装置に用いられているが、被記録物の走行方向と直行方向に動作させて記録するシリアルヘッド方式のインクジェット記録装置に用いることも可能である。
【００４７】
本実施形態に係るインクジェット記録装置１０を用いた記録方法において、インクジェット記録装置１０は、ラインヘッド４を４個備えているが、ラインヘッドの数は限定されず、１〜３個、或いは、５個以上であってもよい。また、インクの種類も４色に限定されない。
【００４８】
本実施形態に係るインクジェット記録装置１０を用いた記録方法において、インクジェット記録装置１０の乾燥機３は、円柱状のドライヤーを有し、該ドライヤー表面に被記録物１を密着させることにより、被記録物１が乾燥するようになっているが、乾燥方法はこれに限定されず、紫外線や超音波を用いてもよい。
【００４９】
本実施形態に係るインクジェット記録装置１０を用いた記録方法においては、解像度が低解像度、中解像度及び高解像度の３段階に設定されているが、４段階以上であってもよい。
また、被記録物の走行速度が高速、中速及び低速の３段階で変更されているが、４段階以上であってもよい。
【００５０】
本実施形態に係るインクジェット記録装置１０を用いた記録方法を実行するための制御方法においては、搬送制御基板１３が受信した解像度信号Ｅに基づいて被記録物１の走行速度及び加速度を設定しているが、記録制御基板１２が被記録物１の走行速度及び加速度を設定してもよい。
【実施例】
【００５１】
以下、実施例に基づいて本発明をより具体的に説明するが、本発明は以下の実施例に限定されるものではない。
【００５２】
まず、画像データの各デザイン部位に対し、表１に示すように、解像度を設定し（第１ステップ）、それに対する被記録物の走行速度を設定した（第２ステップ）。
【００５３】
（表１）
2014004787.tif 000003
【００５４】
次に、被記録物の加減速時について設定した（第３ステップ）。
デザイン部位１からデザイン部位２に移行する場合は、被記録物の走行速度が減速となるので、減速する直前の被記録物の解像度３６０ｄｐｉで記録することとした。したがって、この場合の被記録物の走行速度の減速は、デザイン部位１を記録中に行うこととした。
デザイン部位２からデザイン部位３に移行する場合は、被記録物の走行速度が加速となるので、加速した直後の被記録物の解像度３６０ｄｐｉで記録することとした。したがって、この場合の被記録物の走行速度の加速は、デザイン部位３を記録中に行うこととした。
デザイン部位３からデザイン部位４に移行する場合は、被記録物の走行速度が減速となるので、減速する直前の被記録物の解像度３６０ｄｐｉで記録することとした。したがって、この場合の被記録物の走行速度の減速は、デザイン部位３を記録中に行うこととした。
デザイン部位４からデザイン部位５に移行する場合は、被記録物の走行速度が加速となるので、加速した直後の被記録物の解像度３６０ｄｐｉで記録することとした。したがって、この場合の被記録物の走行速度の加速は、デザイン部位５を記録中に行うこととした。
デザイン部位５からデザイン部位６に移行する場合は、被記録物の走行速度が減速となるので、減速する直前の被記録物の解像度３６０ｄｐｉで記録することとした。したがって、この場合の被記録物の走行速度の減速は、デザイン部位５を記録中に行うこととした。
デザイン部位６からデザイン部位７に移行する場合は、被記録物の走行速度が加速となるので、加速した直後の被記録物の解像度３６０ｄｐｉで記録することとした。したがって、この場合の被記録物の走行速度の加速は、デザイン部位７を記録中に行うこととした。
なお、減速開始のタイミングはインクジェット記録装置１０の被記録物を加減速させる能力に合わせて任意に設定し、減速終了のタイミングは次のデザイン部位の記録が始まるタイミングに合わせた。また、加速開始のタイミングはそのデザイン部位の記録が終わるタイミングに合わせ、加速終了のタイミングはインクジェット記録装置１０の被記録物を加減速させる能力に合わせて任意に設定した。
【００５５】
そして、図１に示すインクジェット記録装置１０を用い、紙に対してインクジェット記録を行った。
【００５６】
図４は、実施例において、インクジェット記録を行った際の被記録物の走行速度と、解像度との関係を示すグラフである。
図４に示すように、本発明に係るインクジェット記録装置を用いた記録方法においては、連続記録が可能であり、デザイン部位に合わせて、被記録物の走行速度が変更されていた。
これにより、効率良くインクジェット記録を行うことができることが確認された。
【００５７】
また、得られた記録物は、画質に優れており、ぼやけたり、シャープさに欠けた画像となることがなかった。
これらのことにより、本発明のインクジェット記録装置を用いた記録方法によれば、画質に優れる記録物が得られ、且つ生産性にも優れることが確認できた。
【産業上の利用可能性】
【００５８】
本発明は、被記録物に対しインクを吹き付けるインクジェット記録装置を用いた記録方法として用いられる。本発明のインクジェット記録装置を用いた記録方法によれば、画質に優れる記録物が得られ、且つ生産性にも優れる。
【符号の説明】
【００５９】
１・・・被記録物
２・・・案内ローラ
２ａ・・・搬送案内ローラ
２ｂ・・・検出案内ローラ
３・・・乾燥機
４・・・ラインヘッド
１０・・・インクジェット記録装置
１１・・・画像データ
１２・・・記録制御基板
１３・・・搬送制御基板
Ａ・・・駆動信号
Ｂ・・・搬送信号
Ｃ・・・検出信号
Ｄ・・・吐出信号
Ｅ・・・解像度信号
Ｓ１・・・第１ステップ
Ｓ２・・・第２ステップ
Ｓ３・・・第３ステップ
【図１】
2014004787.tif 000004
【図２】
2014004787.tif 000005
【図３】
2014004787.tif 000006
【図４】
2014004787.tif 000007